(57)【要約】【課題】底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部から分離した外箱部の廃棄を容易とする包装箱を提供する。【解決手段】外箱部Ａ２の側面部１２０には、切目線１２２ａの上端から角部Ｐ１に形成された切目線１２６ａと切目線１２２ｂの上端から角部Ｐ２に形成された切目線１２６ｂを設け、側面部１３０にも、同様に切目線１３６ａ、１３６ｂを設ける。切目線１２６ａ、１２６ｂ、１３６ａ、１３６ｂは蛇行状に形成されている。【選択図】図６
0003180326.tif 000002
【実用新案登録請求の範囲】
【請求項１】
包装箱であって、
略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の下端の一部が分離部として分離部以外の部分である内側側面部本体部と第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から連設された蓋部とを有し、内箱部における分離部が設けられた内側側面部に対応した外側側面部に分離部が接着され、外側側面部における分離部が接着された領域を含み外側側面部の下端から上方に形成された一対の第２切目線を介して形成された片部が該外側側面部の他の部分に対して一対の第２切目線の上端間を結ぶ横方向の回動軸を中心に回動可能に形成された外箱部と、
を有し、
各外側側面部において、一対の第２切目線における外側正面部に近い側の切目線である正面側第２切目線の上端から連設された第３切目線で、外側側面部の上側で正面側の角部に向けて形成された第３切目線と、一対の第２切目線における外側背面部に近い側の切目線である背面側第２切目線の上端から連設された第４切目線で、外側側面部の上側で背面側の角部に向けて形成された第４切目線とが形成され、
外箱部の片部を外側に回動することにより分離部が片部に接着した状態で内箱部から分離し、片部をさらに上方に引っ張ることにより第３切目線と第４切目線とが破断することを特徴とする包装箱。
【請求項２】
第３切目線と第４切目線とが蛇行状に形成されていることを特徴とする請求項１に記載の包装箱。
【請求項３】
第１切目線が、内側側面部の下端から上方に形成された一対の切目線と該一対の切目線の上端を結び横方向に形成された切目線とを有することを特徴とする請求項１又は２に記載の包装箱。
【請求項４】
内側スリーブ状部と外側スリーブ状部は、ともに、糊代部を介して接着することによりスリーブ状に形成されていることを特徴とする請求項１又は２又は３に記載の包装箱。
【請求項５】
包装箱であって、
略方形状の外形を有する底面部と、底面部の各辺から立設し底面部に対して略直角をなす内側スリーブ状部で、内側正面部と、相対する一対の内側側面部と、内側背面部とを有し、糊代部を介して接着することによりスリーブ状に形成された内側スリーブ状部とを有し、上部が開口した内箱部で、相対する一対の内側側面部において、内側側面部の下端の一部が分離部として分離部以外の部分である内側側面部本体部と第１切目線で内側側面部の下端から上方に形成された一対の切目線と該一対の切目線の上端を結び横方向に形成された切目線とを有する第１切目線を介して分離可能に形成された内箱部と、
内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有し、糊代部を介して接着することによりスリーブ状に形成された外側スリーブ状部と、外側正面部の上端から折れ線を介して連設された第１上面部と、外側側面部の一方の上端から折れ線を介して連設された第２上面部と、外側側面部の他方の上端から折れ線を介して連設された第３上面部と、外側背面部の上端から折れ線を介して連設された第４上面部とを有し、内箱部における分離部が設けられた内側側面部に対応した外側側面部に分離部が接着され、外側側面部における分離部が接着された領域を含み外側側面部の下端から上方に形成された一対の第２切目線を介して形成された片部が該外側側面部の他の部分に対して一対の第２切目線の上端間を結ぶ横方向の回動軸を中心に回動可能に形成された外箱部と、
を有し、
各外側側面部において、一対の第２切目線における外側正面部に近い側の切目線である正面側第２切目線の上端から連設された第３切目線で、外側側面部の上側で正面側の角部に向けて蛇行状に形成された第３切目線と、一対の第２切目線における外側背面部に近い側の切目線である背面側第２切目線の上端から連設された第４切目線で、外側側面部の上側で背面側の角部に向けて蛇行状に形成された第４切目線とが形成され、
外箱部の片部を外側に回動することにより分離部が片部に接着した状態で内箱部から分離し、片部をさらに上方に引っ張ることにより第３切目線と第４切目線とが破断することを特徴とする包装箱。
【請求項６】
一方の外側側面部における第３切目線と第４切目線の一方である特定切目線の上端部分が、糊代部と重なり、糊代部には、該特定切目線の破断とともに糊代部を破断するための切込みが形成されていることを特徴とする請求項４又は５に記載の包装箱。
【請求項７】
第３切目線と第４切目線を構成する複数の切込みにおける各切込みが、２つの直線状の切込みで互いに鈍角をなす切込みにより形成されていることを特徴とする請求項１又は２又は３又は４又は５又は６に記載の包装箱。
【請求項８】
一対の第２切目線が、横方向の外側に膨出した円弧状を呈し、一対の第２切目線が互いに線対称に形成されていることを特徴とする請求項１又は２又は３又は４又は５又は６又は７に記載の包装箱。
【請求項９】
底面部は、内側正面部における下辺から連設された第１片部と、一対の内側側面部の一方における下辺から連設された第２片部と、一対の内側側面部の他方における下辺から連設された第３片部と、内側背面部の下辺から連設された第４片部とにより形成され、内側スリーブ状部における隣接する各部を互いに直角にすることにより底面部が略方形状の外形を有することを特徴とする請求項１又は２又は３又は４又は５又は６又は７又は８に記載の包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
従来より、出願人は、特許文献１〜３に示す包装箱について出願している。これらは、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができるものであり、外箱部において、側面部の下端から形成された一対の略円弧状の切目線と該一対の切目線の上端を結ぶ折れ線とにより囲まれた領域を片部とし、内箱部において、側面部の下端から形成された切目線により区画した領域を分離部とするものである。
【先行技術文献】
【特許文献】
【０００３】
【特許文献１】実用新案登録第３１４７１７３号公報
【特許文献２】実用新案登録第３１７５４１４号公報
【特許文献３】実用新案登録第３１７５４１５号公報
【考案の概要】
【考案が解決しようとする課題】
【０００４】
しかし、上記特許文献１〜３の包装箱においては、外箱部を内箱部から上方に引き上げて内箱部から分離した外箱部は廃棄することになるが、外箱部の廃棄を容易とすることが要望されていた。特に、外箱部は、筒状のスリーブ状部を有しているので、容易に廃棄することができず、容易に廃棄できることが望まれていた。
【０００５】
そこで、本考案は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部から分離した外箱部の廃棄を容易とする包装箱を提供することを目的とするものである。
【課題を解決するための手段】
【０００６】
本考案は上記問題点を解決するために創作されたものであって、第１には、包装箱であって、略方形状の外形を有する底面部と、底面部の各辺から立設し底面部に対して略直角をなす内側スリーブ状部で、内側正面部と、相対する一対の内側側面部と、内側背面部とからなる内側スリーブ状部とを有し、上部が開口した内箱部で、相対する一対の内側側面部において、内側側面部の下端の一部が分離部として分離部以外の部分である内側側面部本体部と第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有する外側スリーブ状部と、外側スリーブ状部の上端から連設された蓋部とを有し、内箱部における分離部が設けられた内側側面部に対応した外側側面部に分離部が接着され、外側側面部における分離部が接着された領域を含み外側側面部の下端から上方に形成された一対の第２切目線を介して形成された片部が該外側側面部の他の部分に対して一対の第２切目線の上端間を結ぶ横方向の回動軸を中心に回動可能に形成された外箱部と、を有し、各外側側面部において、一対の第２切目線における外側正面部に近い側の切目線である正面側第２切目線の上端から連設された第３切目線で、外側側面部の上側で正面側の角部に向けて形成された第３切目線と、一対の第２切目線における外側背面部に近い側の切目線である背面側第２切目線の上端から連設された第４切目線で、外側側面部の上側で背面側の角部に向けて形成された第４切目線とが形成され、外箱部の片部を外側に回動することにより分離部が片部に接着した状態で内箱部から分離し、片部をさらに上方に引っ張ることにより第３切目線と第４切目線とが破断することを特徴とする。
【０００７】
上記第１の構成の包装箱においては、外箱部において、正面側第２切目線から連続した第３切目線と背面側第２切目線から連続した第４切目線が形成されているので、外箱部の片部を回動させて分離部を分離させ、さらに、片部を上方に引っ張ることにより第３切目線と第４切目線を破断することができるので、分離部を分離させる動作と第３切目線と第４切目線を破断する動作を一連の動作で行なうことができ、外箱部を内箱部から分離する操作と外箱部を解体する操作を一度に行なうことができる。よって、内箱部から分離した外箱部の廃棄を容易とすることができる。
【０００８】
また、第２には、上記第１の構成において、第３切目線と第４切目線とが蛇行状に形成されていることを特徴とする。よって、外箱部の外側側面部の強度を保つことができる。
【０００９】
また、第３には、上記第１又は第２の構成において、第１切目線が、内側側面部の下端から上方に形成された一対の切目線と該一対の切目線の上端を結び横方向に形成された切目線とを有することを特徴とする。
【００１０】
また、第４には、上記第１から第３までのいずれかの構成において、内側スリーブ状部と外側スリーブ状部は、ともに、糊代部を介して接着することによりスリーブ状に形成されていることを特徴とする。
【００１１】
また、第５には、包装箱であって、略方形状の外形を有する底面部と、底面部の各辺から立設し底面部に対して略直角をなす内側スリーブ状部で、内側正面部と、相対する一対の内側側面部と、内側背面部とを有し、糊代部を介して接着することによりスリーブ状に形成された内側スリーブ状部とを有し、上部が開口した内箱部で、相対する一対の内側側面部において、内側側面部の下端の一部が分離部として分離部以外の部分である内側側面部本体部と第１切目線で内側側面部の下端から上方に形成された一対の切目線と該一対の切目線の上端を結び横方向に形成された切目線とを有する第１切目線を介して分離可能に形成された内箱部と、内箱部を覆う外箱部で、内箱部の内側スリーブ状部を構成する内側正面部と一対の内側側面部と内側背面部の各部に対応して該各部の外側の面に沿って設けられた外側スリーブ状部で、内側正面部の外側の面に沿って形成された外側正面部と、一対の内側側面部における各内側側面部の外側の面に沿ってそれぞれ形成された外側側面部と、内側背面部の外側の面に沿って形成された外側背面部とを有し、糊代部を介して接着することによりスリーブ状に形成された外側スリーブ状部と、外側正面部の上端から折れ線を介して連設された第１上面部と、外側側面部の一方の上端から折れ線を介して連設された第２上面部と、外側側面部の他方の上端から折れ線を介して連設された第３上面部と、外側背面部の上端から折れ線を介して連設された第４上面部とを有し、内箱部における分離部が設けられた内側側面部に対応した外側側面部に分離部が接着され、外側側面部における分離部が接着された領域を含み外側側面部の下端から上方に形成された一対の第２切目線を介して形成された片部が該外側側面部の他の部分に対して一対の第２切目線の上端間を結ぶ横方向の回動軸を中心に回動可能に形成された外箱部と、を有し、各外側側面部において、一対の第２切目線における外側正面部に近い側の切目線である正面側第２切目線の上端から連設された第３切目線で、外側側面部の上側で正面側の角部に向けて蛇行状に形成された第３切目線と、一対の第２切目線における外側背面部に近い側の切目線である背面側第２切目線の上端から連設された第４切目線で、外側側面部の上側で背面側の角部に向けて蛇行状に形成された第４切目線とが形成され、外箱部の片部を外側に回動することにより分離部が片部に接着した状態で内箱部から分離し、片部をさらに上方に引っ張ることにより第３切目線と第４切目線とが破断することを特徴とする。
【００１２】
上記第５の構成の包装箱においては、外箱部において、正面側第２切目線から連続した第３切目線と背面側第２切目線から連続した第４切目線が形成されているので、外箱部の片部を回動させて分離部を分離させ、さらに、片部を上方に引っ張ることにより第３切目線と第４切目線を破断することができるので、分離部を分離させる動作と第３切目線と第４切目線を破断する動作を一連の動作で行なうことができ、外箱部を内箱部から分離する操作と外箱部を解体する操作を一度に行なうことができる。よって、内箱部から分離した外箱部の廃棄を容易とすることができる。
【００１３】
また、第６には、上記第４又は第５の構成において、一方の外側側面部における第３切目線と第４切目線の一方である特定切目線の上端部分が、糊代部と重なり、糊代部には、該特定切目線の破断とともに糊代部を破断するための切込みが形成されていることを特徴とする。
【００１４】
また、第７には、上記第１から第６までのいずれかの構成において、第３切目線と第４切目線を構成する複数の切込みにおける各切込みが、２つの直線状の切込みで互いに鈍角をなす切込みにより形成されていることを特徴とする。
【００１５】
また、第８には、上記第１から第７までのいずれかの構成において、一対の第２切目線が、横方向の外側に膨出した円弧状を呈し、一対の第２切目線が互いに線対称（対称としてもよい）に形成されていることを特徴とする。
【００１６】
また、第９には、上記第１から第８までのいずれかの構成において、底面部は、内側正面部における下辺から連設された第１片部と、一対の内側側面部の一方における下辺から連設された第２片部と、一対の内側側面部の他方における下辺から連設された第３片部と、内側背面部の下辺から連設された第４片部とにより形成され、内側スリーブ状部における隣接する各部を互いに直角にすることにより底面部が略方形状の外形を有することを特徴とする。
【考案の効果】
【００１７】
本考案に基づく包装箱によれば、外箱部において、正面側第２切目線から連続した第３切目線と背面側第２切目線から連続した第４切目線が形成されているので、外箱部の片部を回動させて分離部を分離させ、さらに、片部を上方に引っ張ることにより第３切目線と第４切目線を破断することができるので、分離部を分離させる動作と第３切目線と第４切目線を破断する動作を一連の動作で行なうことができ、外箱部を内箱部から分離する操作と外箱部を解体する操作を一度に行なうことができる。よって、内箱部から分離した外箱部の廃棄を容易とすることができる。
【図面の簡単な説明】
【００１８】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく包装箱の底面図である。
【図５】内箱部の展開図である。
【図６】外箱部の展開図である。
【図７】包装箱を折り畳んだ状態を示す平面図である。
【図８】包装箱の使用状態を示す斜視図である。
【図９】包装箱の使用状態を示す斜視図である。
【図１０】包装箱の使用状態を示す斜視図である。
【図１１】包装箱の使用状態を示す斜視図である。
【図１２】包装箱の使用状態を示す斜視図である。
【考案を実施するための形態】
【００１９】
本考案においては、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有する包装箱において、内箱部から分離した外箱部の廃棄を容易とする包装箱を提供するという目的を以下のようにして実現した。
【００２０】
本考案に基づく包装箱Ａは、図１〜図７等に示すように構成され、内箱部Ａ１と、外箱部Ａ２とを有していて、それぞれが１枚のシート状のブランク（具体的には段ボール（特に、両面段ボール）であり、厚紙等でもよい）により形成されている。なお、両面段ボールにおける中芯の段の方向は、図５、図６に示す円内に示す方向である。
【００２１】
内箱部Ａ１は、全体に上部が開口した容器状を呈し、図３、図５等に示すように、スリーブ状部（内側スリーブ状部）５と、底面部５０とを有している。スリーブ状部５は、組立て状態では、底面部５０の周囲から立設して形成され、正面部（内側正面部）１０と、側面部（内側側面部）２０と、側面部（内側側面部）３０と、背面部（内側背面部）４０と、糊代部４２とを有していて、その展開状態は、図５に示すように形成されている。
【００２２】
ここで、正面部１０は、方形状を呈し、具体的には、横長の長方形状を呈している。また、側面部２０は、正面部１０の正面視における右側の端部から折れ線を介して連設され、方形状における上側の一部を切り欠いた形状を呈し、側面部２０の上辺は、正面部１０の上辺から連続して水平方向に形成された直線状の辺部２０ａと、辺部２０ａの背面側の端部から連設され、背面側に上方に傾斜して形成された直線状の辺部２０ｂと、辺部２０ｂの上端から背面側に向けて円弧状に形成された辺部２０ｃと、辺部２０ｃの背面側の端部から水平方向に形成された直線状の辺部２０ｄとを有している。この辺部２０ｄは、背面部４０の上端の縁部の高さと同じに形成されている。この側面部２０は、本体部（内側側面部本体部）２２と、分離部２４とを有している。
【００２３】
また、分離部２４は、側面部２０の下端から形成された切目線（第１切目線）２４ａにより区画された領域であり、切目線２４ａは、垂直方向の一対のミシン目状の切目線２４ａ−１、２４ａ−２と該一対のミシン目の上端をつなぐ横方向の直線状の切込みからなる切目線２４ａ−３とにより形成されている。切目線２４ａ−１、２４ａ−２は、外側に膨出した略円弧状を呈している。つまり、側面部２０の下辺と切目線２４ａにより囲まれた領域が分離部２４となる。本体部２２は、側面部２０において分離部２４を除いた領域である。ここで、ミシン目状の切目線とは、間隔をおきながら連続して形成された複数の切込みをいう（他においても同じ）。また、切目線としては、ミシン目状の切目線以外の切目線（例えば、切目線１２６ａ、１２６ｂのような形状の切目線）も含むものとするう。なお、切目線を切断予定線としてもよい。
【００２４】
この分離部２４の形成位置は、外箱部Ａ２の片部１２２の裏側の領域であり、分離部２４は片部１２２の裏側に接着され、片部１２２の下端を外側かつ上方に回動させることにより、分離部２４も片部１２２の裏側に接着したまま切目線２４ａが破断されて、分離部２４が本体部２２から分離するように形成されている。分離部２４は、片部１２２よりも小さく形成されていて、分離部２４の外形が片部１２２の外形よりもはみだすことがない。
【００２５】
また、側面部３０は、正面部１０の正面視における左側の端部から折れ線を介して連設され、方形状における上側の一部を切り欠いた形状を呈し、背面側の端部においては、背面部４０の上端の縁部の高さと同じに形成されている。この側面部３０は、本体部（内側側面部本体部）３２と、分離部３４とを有している。
【００２６】
この側面部３０の構成は、内箱部Ａ１の組立て状態では、側面部２０と前後方向に垂直な仮想的な平面である中心面を介して対称に形成されていて、本体部３２は本体部２２と対称（展開状態では線対称）に形成され、分離部３４は分離部２４と対称（展開状態では線対称）に形成されていることから詳しい説明を省略する。なお、分離部３４は、側面部３０の下端から形成された切目線（第１切目線）３４ａにより区画された領域であり、切目線３４ａは、垂直方向の一対のミシン目状の切目線３４ａ−１、３４ａ−２と該一対のミシン目の上端をつなぐ横方向の直線状の切込みからなる切目線３４ａ−３とにより形成されている。切目線３４ａ−１、３４ａ−２は、外側に膨出した略円弧状を呈している。
【００２７】
この分離部３４の形成位置は、外箱部Ａ２の片部１３２の裏側の領域であり、分離部３４は片部１３２の裏側に接着され、片部１３２の下端を外側かつ上方に回動させることにより、分離部３４も片部１３２の裏側に接着したまま切目線３４ａが破断されて、分離部３４が本体部３２から分離するように形成されている。分離部３４は、片部１３２よりも小さく形成されていて、分離部３４の外形が片部１３２の外形よりもはみだすことがない。
【００２８】
また、背面部４０は、側面部２０の右側面視における右端から折れ線を介して連設され、方形状（長方形状）を呈している。この背面部４０の横幅は、正面部１０の横幅と同一に形成され、背面部４０の縦幅は、側面部２０、３０の縦幅（最大縦幅）と同一に形成されている。
【００２９】
また、糊代部（第１糊代部）４２は、側面部３０の左側面視における左端から折れ線を介して連設され、縦方向に細長の帯状台形形状を呈している。この糊代部４２は、その外側の面が背面部４０の内側の面に接着されている。
【００３０】
また、底面部５０は、第１片部６０と、第２片部７０と、第３片部８０と、第４片部９０とを有し、包装箱Ａの組立て状態においては、図４に示すように、略方形状の外形を呈している。
【００３１】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００３２】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の下端）からは第２片部７０の側面部２０との境界をなす辺部に対して斜めに折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。この第２片部７０の側面部２０との境界側には、分離部２４の下位置に分離部２４の下端と略同幅の切欠部７２ｂが形成されている。この切欠部７２ｂは、片部１２２を回動させる際に、指を係止しやすくするために形成されている。
【００３３】
また、第３片部８０は、側面部３０の下端から折れ線を介して連設され、底面部５０の組立て状態においては、第２片部７０と点対称に形成されている。すなわち、第３片部８０は、側面部３０の下端から折れ線を介して連設され、略長方形状に形成され、第３片部８０の上面の一部が内箱部Ａ１の内底面の一部を形成している。また、第３片部８０の角部（側面部３０と正面部１０の境界位置の下端）からは第３片部８０の側面部３０との境界をなす辺部に対して斜めに折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。この第２片部８０の側面部３０との境界側には、分離部３４の下位置に分離部３４の下端と略同幅の切欠部８２ｂが形成されている。この切欠部８２ｂは、片部１３２を回動させる際に、指を係止しやすくするために形成されている。
【００３４】
また、第４片部９０は、背面部４０の下端から折れ線を介して連設され、先端側にいくほど幅狭となる略台形形状に形成され、その上面の一部が内箱部Ａ１の内底面の一部を形成している。
【００３５】
内箱部Ａ１を箱状に組み立てた状態では、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。また、内箱部Ａ１は、平板状に折り畳むことができ、正面部１０と側面部３０との角度を小さくし、背面部４０と側面部２０との角度を小さくさせるとともに、第２片部７０を上方に回動させて第２片部７０が側面部２０に対して略平行になるようにすることにより、内箱部Ａ１が全体に平板状に折り畳むことができる。また、内箱部Ａ１を折り畳んだ状態では、底面部５０を構成する各部は、スリーブ状部５内にスリーブ状部５を構成する正面部１０、側面部２０、３０、背面部４０に対して略平行な状態となる。
【００３６】
次に、外箱部Ａ２は、内箱部Ａ１を覆う箱体であり、図１〜図３、図６等に示すように、スリーブ状部（外側スリーブ状部）１０５と、上面部１６０、１７０、１８０、１９０とを有していて、その展開状態は、図６に示すように形成されている。
【００３７】
ここで、スリーブ状部１０５は、組み立てた状態では、四角形状の筒状を呈し、正面部（外側正面部）１１０と、側面部（外側側面部）１２０と、側面部（外側側面部）１３０と、背面部（外側背面部）１４０とを有している。
【００３８】
ここで、正面部１１０は、方形状（長方形状）の板状を呈している。この正面部１１０の横幅は、内箱部Ａ１を外箱部Ａ２内に収納することができるように、正面部１０の横幅よりも若干大きく形成されている。
【００３９】
また、側面部１２０は、正面部１１０の正面視における右側の端部から折れ線Ｃ１２を介して連設され、方形状を呈している。また、側面部１２０の下端からは、一対の略円弧状のミシン目状の切目線（第２切目線）１２２ａ、１２２ｂが縦方向に互いに対向して形成され、切目線１２２ａ、１２２ｂの上端を結ぶ折れ線１２２ｃが形成されていて、側面部１２０の下辺と切目線１２２ａ、１２２ｂと折れ線１２２ｃにより囲まれた領域が片部１２２となる。側面部１２０における片部１２２以外の領域が本体部１２４となる。切目線１２２ａが、正面側第２切目線となり、切目線１２２ｂが、背面側第２切目線となる。
【００４０】
また、側面部１２０には、切目線１２２ａの上端と側面部１２０の上端で正面側の角部Ｐ１間を結ぶ切目線（第３切目線）１２６ａと、切目線１２２ｂの上端と側面部１２０の上端で背面側の角部Ｐ２間を結ぶ切目線（第４切目線）１２６ｂとが形成されている。つまり、側面部１２０の上端で正面側の角部Ｐ１とは、側面部１２０と上面部１７０間の折れ線Ｃ２３と折れ線Ｃ１２とが接する角部であり、側面部１２０の上端で背面側の角部Ｐ２とは、側面部１２０と上面部１７０間の折れ線Ｃ２３と折れ線Ｃ１３とが接する角部である。なお、切目線１２６ａの上端位置を上面部１７０の正面部１１０側の辺部１７２と折れ線Ｃ２３が接する位置としてもよく、また、切目線１２６ｂの上端位置を上面部１７０の背面部１４０側の辺部１７４と折れ線Ｃ２３が接する位置としてもよい。
【００４１】
この切目線１２６ａは、直線状ではなく緩やかに蛇行して形成され、第１切目線構成部１２６ａ−１と第２切目線構成部１２６ａ−２と第３切目線構成部１２６ａ−３と第４切目線構成部１２６ａ−４とを有し、各切目線の境界位置で交互に異なる方向にターンしながら蛇行している。つまり、第１切目線構成部１２６ａ−１と第３切目線構成部１２６ａ−３における下側から上側への方向は、切目線１２２ａの上端から切目線１２６ａの上端までの直線（以下「基準直線」とする）の方向に対して、内側の方向又は該直線の方向を向き（つまり、第１切目線構成部１２６ａ−１（第３切目線構成部１２６ａ−３）の方向と水平方向がなす角度（鋭角）が、基準直線と水平方向がなす角度（鋭角）よりも大きく形成され（ただし、ターン位置で同一角度となる）、第２切目線構成部１２６ａ−２と第４切目線構成部１２６ａ−４における下側から上側への方向は、基準直線の方向に対して、外側の方向又は該直線の方向を向き（つまり、第２切目線構成部１２６ａ−２（第４切目線構成部１２６ａ−４）の方向と水平方向がなす角度（鋭角）が、基準直線と水平方向がなす角度（鋭角）よりも小さく形成されている（ただし、ターン位置で同一角度となる）。このように、切目線１２６ａを蛇行状に形成することにより、側面部１２０の強度を保つことができ、商品を収納した状態で搬送する際にも外箱部Ａ２の強度を保つことができる。
【００４２】
また、切目線１２６ｂも、切目線１２６ａと同様に、直線状ではなく緩やかに蛇行して形成されている。切目線１２６ｂは、切目線１２６ａと対称（線対称）に形成されているので、詳しい説明を省略する。
【００４３】
なお、切目線１２６ａ、１２６ｂともに、複数の切込みを間隔を介して連設することにより形成され、各切込みは、２つの直線状の切込みで互いに鈍角をなす切込みにより形成されている。つまり、２つの直線のうち一方の直線状の切込みは、切目線の形成方向を向いているが、他方の直線状の切込みは、切目線の形成方向とは異なる方向を向いている。これにより、破断される箇所の方向は、切目線１２６ａ、１２６ｂの形成方向とは異なる方向となり、側面部１２０の強度を保つことができる。
【００４４】
側面部１２０は以上のように構成されているので、片部１２２の下端を外側に引き出すことにより切目線１２２ａ、１２２ｂが破断して折れ線１２２ｃを中心に側面部１２０の他の部分（つまり、側面部１２０における片部１２２以外の部分）に対して回動し、さらに、片部１２２を上方に引っ張ることにより、切目線１２６ａ、１２６ｂが破断して、側面部１２０は、切目線１２２ａと切目線１２６ａの正面側の部分である第１領域１２４−１と、切目線１２２ｂと切目線１２６ｂの背面側の部分である第２領域１２４−２と、第１領域１２４−１と第２領域１２４−２の間の領域である第３領域１２４−３（つまり、片部１２２の領域と切目線１２６ａと切目線１２６ｂ間の領域からなる領域）の３つの領域に分離することになる。
【００４５】
また、側面部１３０は、正面部１１０の正面視における左側の端部から折れ線Ｃ１１を介して連設され、方形状を呈し、ミシン目状の切目線１３２ａとミシン目状の切目線１３２ｂと折れ線１３２ｃとが形成され、側面部１３０の下辺と切目線（第２切目線）１３２ａ、１３２ｂと折れ線１３２ｃにより囲まれた領域が片部１３２となる。側面部１３０における片部１３２以外の領域が本体部１３４となる。切目線１３２ａが、正面側第２切目線となり、切目線１３２ｂが、背面側第２切目線となる。切目線１２２ａ、１２２ｂ、１３２ａ、１３２ｂが第２切目線に当たる。切目線１２２ａ、１２２ｂ、１３２ａ、１３２ｂは、ミシン目状の切目線としたが、連続して形成された１本の切目線でもよい。
【００４６】
また、側面部１３０には、切目線１３２ａの上端と側面部１３０の上端で正面側の角部Ｐ３間を結ぶ切目線１３６ａと、切目線１３２ｂの上端と側面部１３０の上端で背面側の角部Ｐ４間を結ぶ切目線１３６ｂとが形成されている。つまり、側面部１３０の上端で正面側の角部Ｐ３とは、側面部１３０と上面部１８０間の折れ線Ｃ２１と折れ線Ｃ１１とが接する角部であり、側面部１３０の上端で背面側の角部Ｐ４とは、側面部１３０と上面部１８０間の折れ線Ｃ２１と側面部１３０の折れ線Ｃ１１とは反対側の辺部とが接する角部である。なお、切目線１３６ａの上端位置を上面部１８０の正面部１１０側の辺部１８２と折れ線Ｃ２１が接する位置としてもよく、また、切目線１３６ｂの上端位置を上面部１８０の背面部１４０側の辺部１８４と折れ線Ｃ２１が接する位置としてもよい。
【００４７】
側面部１３０は、外箱部Ａ２の組立て状態において、側面部１２０と前後方向に垂直な仮想的な平面である中心面を介して対称に形成されていて、切目線１３２ａは切目線１２２ａと対称に形成され、切目線１３２ｂは切目線１２２ｂと対称に形成され、折れ線１３２ｃは折れ線１２２ｃと対称に形成されている。
【００４８】
また、切目線１３６ａは、切目線１２６ａと対称に形成されていて、切目線１２６ａと同様に蛇行状に形成されている。また、切目線１３６ｂは、切目線１２６ｂと対称に形成されていて、切目線１２６ｂと同様に蛇行状に形成されている。従って、切目線１３６ａと切目線１３６ｂとは対称に形成されている。
【００４９】
側面部１３０は以上のように構成されているので、片部１３２の下端を外側に引き出すことにより切目線１３２ａ、１３２ｂが破断して折れ線１３２ｃを中心に側面部１３０の他の部分（つまり、側面部１３０における片部１３２以外の部分）に対して回動し、さらに、片部１３２を上方に引っ張ることにより、切目線１３６ａ、１３６ｂが破断して、側面部１３０は、切目線１３２ａと切目線１３６ａの正面側の部分である第１領域１３４−１と、切目線１３２ｂと切目線１３６ｂの背面側の部分である第２領域１３４−２と、第１領域１３４−１と第２領域１３４−２の間の領域である第３領域１３４−３（つまり、片部１３２の領域と切目線１３６ａと切目線１３６ｂ間の領域からなる領域）の３つの領域に分離することになる。
【００５０】
また、背面部１４０は、側面部１２０の右側面視における右端から折れ線Ｃ１３を介して連設され、方形状を呈している。この背面部１４０の横幅は、内箱部Ａ１を外箱部Ａ２内に収納することができるように、背面部４０の横幅よりも若干大きく形成されている。
【００５１】
また、糊代部（第２糊代部）１４２は、背面部１４０の背面視における右端から折れ線Ｃ１４を介して連設され、縦方向に細長の帯状台形形状を呈している。この糊代部１４２は、図２に示すように、その内側の面が側面部１３０の外側の面に接着されている。また、切目線（特定切目線）１３６ｂの上端部分は、糊代部１４２と重なるので、糊代部１４２を破るための切込み１４４が斜めに形成されている。つまり、切込み１４４は、折れ線Ｃ１４と折れ線Ｃ２４がなす角部から斜め下方の方向に形成されている。なお、切込み１４４は、１本の切込みであるが、ミシン目状の切込みでもよい。
また、正面部１１０と側面部１２０、１３０と背面部１４０の縦幅は同一に形成されていて、内箱部Ａ１の縦幅と同一又は若干大きく形成されている。
【００５２】
なお、折れ線Ｃ１１と折れ線Ｃ１２と折れ線Ｃ１３と折れ線Ｃ１４には、各折れ線を介して両側の部材を折曲しやすいように、所定の間隔で切込みが形成されている。
【００５３】
また、上面部１６０は、正面部１１０の上端から折れ線を介して連設され、方形状（長方形状）を呈している。また、上面部１７０は、側面部１２０の上端から折れ線を介して連設され、方形状（長方形状）を呈している。この上面部１７０と上面部１６０との間には隙間が形成されている。また、上面部１８０は、側面部１３０の上端から折れ線を介して連設され、方形状（長方形状）を呈している。この上面部１８０と上面部１６０との間には隙間が形成されている。また、上面部１９０は、背面部１４０の上端から折れ線を介して連設され、方形状（長方形状）を呈している。これら４つの上面部１６０〜１９０は、外箱部Ａ２の上面を開閉するものであり、特に、上面部１７０と上面部１８０を閉状態とすることにより外箱部Ａ２の上面が塞がれる。つまり、上面部１６０〜１９０は、蓋部を構成する。なお、上面部１６０〜１９０は、予め上方に立設した状態になっていて、外箱部Ａ２の上方が開口した状態になっている。
【００５４】
上面部１６０が第１上面部となり、上面部１７０と上面部１８０の一方が第２上面部となり、他方が第３上面部となり、上面部１９０が第４上面部となる。
【００５５】
なお、外箱部Ａ２の展開状態においては、図６に示すように、上面部１６０〜１９０における隣接した上面部においては、隙間が形成されている。なお、蓋部としての上面部１６０〜１９０はスリーブ状部１０５の上端の各辺から連設されているが、少なくとも１つの上面部から連設されていればよい。
【００５６】
外箱部Ａ２を箱状に組み立てた状態では、正面部１１０と背面部１４０とが互いに平行になり、側面部１２０と側面部１３０とが互いに平行になる。また、スリーブ状部１０５を構成する各部材（正面部１１０、側面部１２０、１３０、背面部１４０）における隣接する部材は互いに直角となっている。
【００５７】
次に、内箱部Ａ１と外箱部Ａ２とは、分離部２４、３４の箇所で互いに接着されている。つまり、分離部２４の外側の面と側面部１２０の内側の面とが接着剤その他の接着手段により接着されるとともに、分離部３４の外側の面と側面部１３０の内側の面とが接着剤その他の接着手段により接着されることにより、包装箱Ａが全体に一体に形成される。つまり、分離部２４の外側の面の全部又は一部の領域と側面部１２０（特に、片部１２２）の内側の面の間には接着剤層（図示せず）が設けられていて、同様に、分離部３４の外側の面の全部又は一部の領域と側面部１３０（特に、片部１３２）の内側の面の間には接着剤層（図示せず）が設けられている。これにより、外箱部Ａ２のスリーブ状部１０５は、内箱部Ａ１におけるスリーブ状部５の外側の面に沿って設けられ、例えば、正面部１０の外側の面に沿って正面部１１０が設けられ、側面部２０の外側の面に沿って側面部１２０が設けられ、側面部３０の外側の面に沿って側面部１３０が設けられ、背面部４０の外側の面に沿って背面部１４０が設けられている。該接着剤層の接着力は、外箱部Ａ２の片部１２２を外側に回動させた際に、同時に分離部２４の周囲の切目線２４ａが破れて、分離部２４が内箱部Ａ１から分離し、回動させた片部１２２に接着した状態で片部１２２に従動するように設定されていて、同様に、外箱部Ａ２の片部１３２を外側に回動させた際に、同時に分離部３４の周囲の切目線３４ａが破れて、分離部３４が内箱部Ａ１から分離し、回動させた片部１３２に接着した状態で片部１３２に従動するように設定されている。
【００５８】
また、内箱部Ａ１と外箱部Ａ２とが接着された状態では、内箱部Ａ１の下端と外箱部Ａ２の下端とが同じ高さになるように形成されている。なお、内箱部Ａ１と外箱部Ａ２とは、分離部２４、３４の箇所以外は互いに接着されていない。以上のように、内箱部Ａ１は外箱部Ａ２の内側に収納した状態となっていて、内箱部Ａ１の底面部５０以外は外箱部Ａ２に被覆された状態となっている。つまり、外箱部Ａ２の下端の高さ方向の位置は、内箱部Ａ１の下端の高さ方向の位置と略同一であり、上面部１６０〜１９０を封止した状態では内箱部においては底面部５０のみが露出している。
【００５９】
なお、上記構成の包装箱Ａは、内箱部Ａ１が上記のように折り畳むことができ、また、外箱部Ａ２がスリーブ状部１０５を有し、全体に略スリーブ状を呈しているので、包装箱Ａの状態においても平板状に折り畳むことができ、正面部１１０を側面部１３０に対して略平行になるようにし、かつ、側面部１２０を背面部１４０に対して略平行になるようにすることにより、図７に示すように平板状に折り畳むことができる。
【００６０】
上記構成の包装箱Ａの使用状態について説明する。包装箱Ａを使用しない状況では、上記のように包装箱Ａは平板状に折り畳むことができるので、折り畳んで保管しておく。
【００６１】
そして、包装箱Ａを使用する際に、包装箱Ａを組み立てる。すなわち、外箱部Ａ２における正面部１１０と背面部１４０とが互いに平行になり、側面部１２０と側面部１３０とが互いに平行になるようにするとともに、内箱部Ａ１における正面部１０と背面部４０とが互いに平行になり、側面部２０と側面部３０とが互いに平行になるようにし、底面部５０がスリーブ状部５、１０５に直角になるようにすることにより包装箱Ａが立体状に組み立てられる。
【００６２】
そして、図８に示すように、包装箱Ａの上方から複数の被収納物（商品）Ｇを内箱部Ａ１内に収納する。図８は、箱状の商品である例を示しているが、他の被収納物であってもよい。なお、上面部１６０〜１９０は、予め上方に立設した状態になっていて、外箱部Ａ２の上方が開口した状態になっているので、被収納物Ｇはそのまま包装箱Ａの上方から収納すればよい。
【００６３】
その後、上面部１６０〜１９０を閉状態にして（つまり、上面部１６０、１９０を閉じた後に上面部１７０、１８０を閉じる）、接着テープＴを外箱部Ａ２の正面部１１０から上面を経て背面部１４０側にまで接着させることにより、図９に示すように、上面部１６０〜１９０を封止する。つまり、接着テープＴは、正面部１１０の上端領域から上面部１７０及び上面部１８０の先端領域を経て背面部１４０の上端領域に接着される。
【００６４】
以上のようにして、被収納物を包装箱Ａに包装したら、被収納物Ｇを収納した包装箱Ａを被収納物Ｇを陳列する場所に搬送する。
【００６５】
その後、被収納物を陳列する場合には、外箱部Ａ２を内箱部Ａ１から分離する。
【００６６】
すなわち、図１０に示すように、外箱部Ａ２の片部１２２を外側に引き出して切目線１２２ａ、１２２ｂを破断して折れ線１２２ｃを中心に回動させることにより、分離部２４も片部１２２の裏側に接着したまま切目線２４ａが破断されて、分離部２４が本体部２２から分離する。外箱部Ａ２の片部１２２を上側に回動させた際に、同時に分離部２４の周囲の切目線２４ａが破れて、分離部２４が内箱部Ａ１から分離し、回動させた片部１２２に接着した状態で片部１２２に従動する。片部１２２を回動させて、分離部２４を本体部２２から分離したら、さらに、片部１２２を上方に引っ張ることにより、切目線１２６ａ、１２６ｂが破断させ、図１１に示すように、側面部１２０を第１領域１２４−１と第２領域１２４−２と第３領域１２４−３に分離させる。
【００６７】
また、片部１３２を外側に引き出して切目線１３２ａ、１３２ｂを破断して折れ線１３２ｃを中心に回動させることにより、分離部３４も片部１３２の裏側に接着したまま切目線３４ａが破断されて、分離部３４が本体部３２から分離する。外箱部Ａ２の片部１３２を上側に回動させた際に、同時に分離部３４の周囲の切目線３４ａが破れて、分離部３４が内箱部Ａ１から分離し、回動させた片部１３２に接着した状態で片部１３２に従動する。片部１３２を回動させて、分離部３４を本体部３２から分離したら、さらに、片部１３２を上方に引っ張ることにより、切目線１３６ａ、１３６ｂを破断させ、側面部１３０を第１領域１３４−１と第２領域１３４−２と第３領域１３４−３に分離させる。
【００６８】
そして、図１２に示すように、外箱部Ａ２を上方に引き上げることにより、被収納物を収納した状態で、かつ、分離部２４、３４が分離した状態の内箱部Ａ１が残る。なお、外箱部Ａ２には、切欠部Ｋ１２２や開口部Ｋ１１４が設けられているので、外箱部Ａ２を内箱部Ａ１に対して容易に引き上げることができる。
【００６９】
また、引き上げた外箱部Ａ２については、接着テープＴが接着された状態であっても、切目線１２６ａ、１２６ｂを破断させることにより、側面部１２０が第１領域１２４−１と第２領域１２４−２と第３領域１２４−３に分離し、切目線１３６ａ、１３６ｂを破断させることにより、側面部１３０が第１領域１３４−１と第２領域１３４−２と第３領域１３４−３に分離して、結果的に、上面部１６０〜１８０の周囲に正面部１１０、背面部１４０、側面部１２０、１３０が連設された状態の平板状に解体できるので、これを折り畳むことにより容易に廃棄することができる。折り畳む方法としては、正面部１１０と上面部１７０、１８０間の境界を山折りとし、背面部１４０と上面部１７０、１８０間の境界を谷折りとすることが考えられる。
【００７０】
また、接着されていた接着テープＴを剥がすことにより、第２領域１３４−２と糊代部１４２と背面部１４０と上面部１９０と第２領域１２４−２とからなる第１部分と、第３領域１２４−３と上面部１７０とからなる第２部分と、第１領域１２４−１と正面部１１０と上面部１６０と第１領域１３４−１からなる第３部分と、第３領域１３４−３と上面部１８０とからなる第４部分とに分割して解体することもできる。
【００７１】
なお、片部１２２、１３２が回動する際の回動軸となる折れ線１２２ｃ、１３２ｃの箇所には折れ線として罫線を形成しておくのが好ましいが、罫線を形成しておかなくても片部１２２、１３２を回動させることにより自然と折れ線が形成されるが、予め該折れ線の箇所に罫線を形成しておいてもよい。
【００７２】
すると、図１２に示すように、被収納物を収納した状態で、かつ、分離部２４、３４が分離した状態の内箱部Ａ１が残る。
【００７３】
なお、切目線１２６ａ、１２６ｂ、１３６ａ、１３６ｂの破断をする前に外箱部Ａ２を内箱部Ａ１に対して上方に引き上げて、外箱部Ａ２を内箱部Ａ１から分離し、その後、切目線１２６ａ、１２６ｂ、１３６ａ、１３６ｂを破断して外箱部Ａ２を解体するようにしてもよい。なお、外箱部Ａ２には、正面部１１０と側面部１２０間に縦長の開口部Ｋ１１４が設けられ、正面部１１０と側面部１３０間に縦長の切欠部Ｋ１２２が設けられているので、外箱部Ａ２を内箱部Ａ１に対して容易に引き上げることができる。
【００７４】
本実施例の包装箱Ａによれば、図１や図２に示すように、上方が開口した包装箱Ａに対して上方から被収納物である商品を収納して、上面部１６０〜１９０を閉じて１つの接着テープＴにより封止するのみであるので、容易に被収納物（商品）の梱包作業を行うことができる。
【００７５】
また、本実施例の包装箱Ａによれば、片部１２２、１３２を外側に回動させて、分離部２４、３４を内箱部Ａ１から分離して外箱部Ａ２を上方に引き上げるのみで陳列することができるので、陳列作業を容易に行なうことができる。
【００７６】
また、外箱部Ａ２において、切目線１２２ａから連続した切目線１２６ａと切目線１２２ｂから連続した切目線１２６ｂが形成されているので、片部１２２を回動させて分離部２４を分離させる動作と切目線１２６ａ、１２６ｂを破断する動作を一連の動作で行なうことができ、また、切目線１３２ａから連続した切目線１３６ａと切目線１３２ｂから連続した切目線１３６ｂが形成されているので、片部１３２を回動させて分離部３４を分離させる動作と切目線１３６ａ、１３６ｂを破断する動作を一連の動作で行なうことができ、結果として、外箱部Ａ２を内箱部Ａ１から分離する操作と外箱部Ａ２を解体する操作を一度に行なうことができる。よって、内箱部Ａ１から分離した外箱部Ａ２の廃棄を容易とすることができる。
【００７７】
また、上記の説明において、外箱部Ａ２においては、スリーブ状部１０５を構成する正面部１１０と側面部１２０の境界位置に開口部Ｋ１１４が設けられ、正面部１１０と側面部１３０の境界位置に切欠部Ｋ１２２が設けられているとして説明したが、切欠部Ｋ１２２を開口部Ｋ１１４のような開口部としてもよく、また、開口部Ｋ１１４を切欠部Ｋ１２２のような切欠部としてもよい。また、切欠部Ｋ１２２のような切欠部又は開口部Ｋ１１４のような開口部を側面部１２０と背面部１４０の境界位置に設けるようにしてもよい。
【００７８】
また、内箱部Ａ１においては、側面部３０と背面部４０とを糊代部４２を介して接着してスリーブ状としているが、他の隣接する部材間を糊代部を介して接着してスリーブ状としてもよい。つまり、糊代部を介してスリーブ状とする構成であればよい。同様に、外箱部Ａ２においては、側面部１３０と背面部１４０とを糊代部１４２を介して接着してスリーブ状としているが、他の隣接する部材間を糊代部を介して接着してスリーブ状としてもよい。つまり、糊代部を介してスリーブ状とする構成であればよい。
【００７９】
なお、上記の説明においては、内箱部Ａ１や外箱部Ａ２が４つの側面部を有するもの、つまり、平面視が四角形の形状のものとして説明したが、平面視が他の多角形のものでもよい。例えば、内箱部や外箱部における側面部が６つや８つのものでもよく、このように側面部の数が偶数の場合には、内箱部における２つの分離部は相対する側面部に設ける。例えば、平面視が六角形の場合には、互いに平行な側面部に２つの分離部を設ける。また、側面部の数が奇数の場合には、一方の分離部が設けられた側面部と平行な対向する側面部がある場合には、その側面部に他の分離部を設け、平行な側面部がない場合には、一方の分離部が設けられた側面部と最も平行に近い（つまり、該側面部となす角度が最も小さい）側面部に他の分離部を設ければよい。
【符号の説明】
【００８０】
Ａ 包装箱
Ａ１ 内箱部
Ａ２ 外箱部
５、１０５ スリーブ状部
１０、１１０ 正面部
２０、３０、１２０、１３０ 側面部
２２、３２ 本体部
２４、３４ 分離部
４０、１４０ 背面部
４２、１４２ 糊代部
５０ 底面部
６０ 第１片部
７０ 第２片部
８０ 第３片部
９０ 第４片部
１６０、１７０、１８０、１９０ 上面部
１２２ａ、１２２ｂ、１２６ａ、１２６ｂ、１３２ａ、１３２ｂ、１３６ａ、１３６ｂ  切目線
【図１】
0003180326.tif 000003
【図２】
0003180326.tif 000004
【図３】
0003180326.tif 000005
【図４】
0003180326.tif 000006
【図５】
0003180326.tif 000007
【図６】
0003180326.tif 000008
【図７】
0003180326.tif 000009
【図８】
0003180326.tif 000010
【図９】
0003180326.tif 000011
【図１０】
0003180326.tif 000012
【図１１】
0003180326.tif 000013
【図１２】
0003180326.tif 000014